(57)【要約】【課題】  浸漬ノズルを効率よく均一に加熱する連続鋳造用浸漬ノズルの予熱装置及びその予熱方法を提供する。【解決手段】  連続鋳造機のタンディッシュから溶鋼を鋳型に注湯する浸漬ノズル１１を、タンディッシュに設置する前に、予め加熱する浸漬ノズル１１の予熱方法であって、浸漬ノズル１１を、浸漬ノズル１１の上端部を除く外径よりも大きな内径を備えた誘導コイル２２に挿入し、誘導コイル２２による浸漬ノズル１１の誘導加熱時に、浸漬ノズル１１あるいは誘導コイル２２を相対的に昇降させて浸漬ノズル１１を所定温度に加熱する。【選択図】        図１
2006205191.tif 000002
【特許請求の範囲】
【請求項１】
連続鋳造機のタンディッシュから溶鋼を鋳型に注湯する浸漬ノズルを、該タンディッシュに設置する前に、予め加熱する浸漬ノズルの予熱方法であって、
前記浸漬ノズルを、該浸漬ノズルの上端部を除く外径よりも大きな内径を備えた誘導コイルに挿入し、該誘導コイルによる前記浸漬ノズルの誘導加熱時に、前記浸漬ノズルあるいは前記誘導コイルを相対的に昇降させて前記浸漬ノズルを所定温度に加熱することを特徴とする連続鋳造用浸漬ノズルの予熱方法。
【請求項２】
請求項２記載の連続鋳造用浸漬ノズルの予熱方法において、更に、前記浸漬ノズルの上方からバーナーで加熱することを特徴とする連続鋳造用浸漬ノズルの予熱方法。
【請求項３】
請求項１及び２のいずれか１項に記載の連続鋳造用浸漬ノズルの予熱方法において、前記誘導コイルは、前記浸漬ノズルの長さの０．２〜０．９倍の長さとなっていることを特徴とする連続鋳造用浸漬ノズルの予熱方法。
【請求項４】
請求項１〜３のいずれか１項に記載の連続鋳造用浸漬ノズルの予熱方法において、前記浸漬ノズルは旋回可能となっていることを特徴とする連続鋳造用浸漬ノズルの予熱方法。
【請求項５】
連続鋳造機のタンディッシュから溶鋼を鋳型に注湯する浸漬ノズルを、該タンディッシュに設置する前に、予め加熱する浸漬ノズルの予熱装置であって、
長さが前記浸漬ノズルの高さ方向の長さに対して０．２〜０．９倍であり、しかも、内径が前記浸漬ノズルの上端部を除く外径よりも大きい誘導コイルを備えた加熱手段と、
前記浸漬ノズルを把持する把持手段と、
前記把持手段を介して前記浸漬ノズルを昇降可能なノズル昇降手段とを有することを特徴とする連続鋳造用浸漬ノズルの予熱装置。
【請求項６】
連続鋳造機のタンディッシュから溶鋼を鋳型に注湯する浸漬ノズルを、該タンディッシュに設置する前に、予め加熱する浸漬ノズルの予熱装置であって、
前記浸漬ノズルを把持する把持手段と、
長さが前記浸漬ノズルの高さ方向の長さに対して０．２〜０．９倍であり、しかも、内径が前記浸漬ノズルの上端部を除く外径よりも大きい誘導コイルを備えた加熱手段と、
前記誘導コイルを前記浸漬ノズルに沿って昇降可能なコイル昇降手段とを有することを特徴とする連続鋳造用浸漬ノズルの予熱装置。
【請求項７】
請求項５及び６のいずれか１項に記載の連続鋳造用浸漬ノズルの予熱装置において、前記浸漬ノズルの上方には、該浸漬ノズルの上部を加熱するバーナーが配置されていることを特徴とする連続鋳造用浸漬ノズルの予熱装置。
【発明の詳細な説明】
【技術分野】
【０００１】
本発明は、連続鋳造において、タンディッシュ内の溶鋼を鋳型に注湯する際に使用される連続鋳造用浸漬ノズルの予熱方法及び予熱装置に関する。
【背景技術】
【０００２】
連続鋳造では、取鍋からタンディッシュ内に供給されたおよそ１５００〜１５３０℃の溶鋼を連続鋳造用浸漬ノズル（以下、単に「浸漬ノズル」ともいう）を介して鋳型に注湯している。この際に浸漬ノズルには過酷な熱負荷がかかり亀裂や折損等が発生する恐れがあるため、予め浸漬ノズルを加熱して浸漬ノズルの破損を防止している。また、浸漬ノズルの予熱によって、浸漬ノズルを通過する溶鋼の温度低下による鋳造品の品質の低下を防止できる。
ここで、従来の浸漬ノズルの予熱方法としては、浸漬ノズルの上部の注湯口又は下部の吐出口から燃料ガスと酸素を供給可能なバーナーを用いて、１０００〜１２００℃に加熱する方法が知られている。
【０００３】
また、例えば、特許文献１には、炭素を含む導電性材料で成型した浸漬ノズルの長手方向の両端面に電極を配置して通電させジュール熱（抵抗熱）によって加熱する浸漬ノズルの予熱方法が開示されている。特許文献２には、連続鋳造用ノズルのノズル部分を除いてカオウール等の保温材で被覆して通電発熱させる連続鋳造用ノズルの予熱方法が開示されている。
更に、特許文献３には、浸漬ノズルの外周を囲むリング状の電熱器、及びラジアントチューブバーナー装置等によって間接的に加熱する連続鋳造用浸漬ノズルの予熱装置が開示されている。
【０００４】
【特許文献１】特開昭５９−１２７９５６号公報
【特許文献２】特開昭６１−１２６９５１号公報
【特許文献３】特開平１０−１１８７４６号公報
【発明の開示】
【発明が解決しようとする課題】
【０００５】
しかしながら、前記従来の連続鋳造用浸漬ノズルの予熱装置及び及び予熱方法は未だ解決すべき以下のような問題があった。
バーナーを用いる方法では、バーナーの火炎によって、浸漬ノズルを構成する耐火物に配合された炭素及び酸化防止剤等の酸化が起こる。また、バーナーによる加熱温度は、通常溶鋼の温度よりも低い１０００〜１２００℃であり、浸漬ノズルの加熱温度を１４００℃以上の高温まで加熱すると、火炎の近傍と周囲での温度が不均一となり、熱衝撃が大きくなって、浸漬ノズルに亀裂や折損が起こり易い。このために、バーナーによる予熱方法では、熱スポールが大きいジルコニア系の高強度材は使用できなかった。
【０００６】
また、特許文献１及び特許文献２の発明では、浸漬ノズルを構成する耐火物に制約があり、材質のコストが高くなると共に、ジュール熱によって発熱させるため、加熱効率が悪い。更に、特許文献３の発明では、間接的に加熱するため、加熱効率が悪く、高温の予熱を迅速に行うことができなかった。
【０００７】
本発明はかかる事情に鑑みてなされたもので、浸漬ノズルを効率よく均一に加熱する連続鋳造用浸漬ノズルの予熱方法及び予熱装置を提供することを目的とする。
【課題を解決するための手段】
【０００８】
前記目的に沿う第１の発明に係る連続鋳造用浸漬ノズルの予熱方法は、連続鋳造機のタンディッシュから溶鋼を鋳型に注湯する浸漬ノズルを、該タンディッシュに設置する前に、予め加熱する浸漬ノズルの予熱方法であって、
前記浸漬ノズルを、該浸漬ノズルの上端部を除く外径よりも大きな内径を備えた誘導コイルに挿入し、該誘導コイルによる前記浸漬ノズルの誘導加熱時に、前記浸漬ノズルあるいは前記誘導コイルを相対的に昇降させて前記浸漬ノズルを所定温度に加熱する。
【０００９】
第１の発明に係る連続鋳造用浸漬ノズルの予熱方法において、浸漬ノズル又は誘導コイルを相対的に昇降させるには、固定した誘導コイル内で浸漬ノズルを昇降させる方法、又は、浸漬ノズルを固定して誘導コイルを昇降させる方法がある。また、浸漬ノズルの加熱温度は、下限が１２００℃、好ましくは１３００℃、更に好ましくは１３５０℃であって、上限は溶鋼の温度である１５３０℃程度（通常は１４００℃程度）である。なお、浸漬ノズルの加熱終了後からタンディッシュ取り付けまでに、浸漬ノズルの温度が低下するので、浸漬ノズルの加熱を溶鋼の温度よりも高く、例えば１６００℃程度としてもよい。浸漬ノズルは、アルミナグラファイト（ＡＧ）等の導電体で形成され、予熱温度が溶鋼の温度程度であると、浸漬ノズルに溶鋼を注湯する際に温度変化が少なく熱衝撃を受け難くなるので、熱衝撃に弱いジルコニア等を含む高強度材料も使用できる。
【００１０】
第２の発明に係る連続鋳造用浸漬ノズルの予熱方法は、第１の発明に係る連続鋳造用浸漬ノズルの予熱方法において、更に、前記浸漬ノズルの上方からバーナーで加熱する。
第２の発明に係る連続鋳造用浸漬ノズルの予熱方法において、通常、浸漬ノズルの上端部には、浸漬ノズルをタンディッシュに取り付けるための金属製のトラニオン等が一体的に設けられており、金属は誘導加熱されないためバーナーで加熱する。バーナーの燃料としては、コークス炉ガス（ＣＯＧ）が使用できる。また、浸漬ノズルの内側上部には、バーナーの火炎を所定位置よりも下方へ導入させないための栓を設けるのが好ましい。
【００１１】
第３の発明に係る連続鋳造用浸漬ノズルの予熱方法は、第１及び第２の発明に係る連続鋳造用浸漬ノズルの予熱方法において、前記誘導コイルは、前記浸漬ノズルの長さの０．２〜０．９倍の長さとなっている。
第３の発明に係る連続鋳造用浸漬ノズルの予熱方法において、誘導コイルが浸漬ノズルの長さより短いので、浸漬ノズル又は誘導コイルを相対的に昇降させて、浸漬ノズルの表面を均一に加熱する。誘導コイルの長さが、浸漬ノズルの長さの０．２倍未満であると、時間がかかり融熱が不足する。また、誘導コイルの長さが、浸漬ノズルの長さの０．９倍を超えると、浸漬ノズルの上部の金物に干渉すると共に、電源容量が大きくなり装置が巨大となる。
【００１２】
第４の発明に係る連続鋳造用浸漬ノズルの予熱方法は、第１〜第３の発明に係る連続鋳造用浸漬ノズルの予熱方法において、前記浸漬ノズルは旋回可能となっている。
【００１３】
第５の発明に係る連続鋳造用浸漬ノズルの予熱装置は、連続鋳造機のタンディッシュから溶鋼を鋳型に注湯する浸漬ノズルを、該タンディッシュに設置する前に、予め加熱する浸漬ノズルの予熱装置であって、
長さが前記浸漬ノズルの高さ方向の長さに対して０．２〜０．９倍であり、しかも、内径が前記浸漬ノズルの上端部を除く外径よりも大きい誘導コイルを備えた加熱手段と、
前記浸漬ノズルを把持する把持手段と、
前記把持手段を介して前記浸漬ノズルを昇降可能なノズル昇降手段とを有する。
【００１４】
第６の発明に係る連続鋳造用浸漬ノズルの予熱装置は、連続鋳造機のタンディッシュから溶鋼を鋳型に注湯する浸漬ノズルを、該タンディッシュに設置する前に、予め加熱する浸漬ノズルの予熱装置であって、
前記浸漬ノズルを把持する把持手段と、
長さが前記浸漬ノズルの高さ方向の長さに対して０．２〜０．９倍であり、しかも、内径が前記浸漬ノズルの上端部を除く外径よりも大きい誘導コイルを備えた加熱手段と、
前記誘導コイルを前記浸漬ノズルに沿って昇降可能なコイル昇降手段とを有する。
【００１５】
第７の発明に係る連続鋳造用浸漬ノズルの予熱装置は、第５及び第６の発明に係る連続鋳造用浸漬ノズルの予熱装置において、前記浸漬ノズルの上方には、該浸漬ノズルの上部を加熱するバーナーが配置されている。
【発明の効果】
【００１６】
請求項１〜４記載の連続鋳造用浸漬ノズルの予熱方法においては、浸漬ノズルを、浸漬ノズルの上端部を除く外径よりも大きな内径を備えた誘導コイルに挿入し、誘導コイルによる浸漬ノズルの誘導加熱時に、浸漬ノズル又は誘導コイルを相対的に昇降させて所定温度に加熱するので、浸漬ノズルの表面を均一に加熱することができる。
【００１７】
特に、請求項２記載の連続鋳造用浸漬ノズルの予熱方法及び請求項７記載の連続鋳造用浸漬ノズルの予熱装置においては、更に、浸漬ノズルの上方からバーナーで加熱するので、ステンレス鋼等の金物が取り付けられ、誘導加熱され難い浸漬ノズルの上部を加熱して、浸漬ノズルの表面をより均一に加熱できる。
【００１８】
請求項３記載の連続鋳造用浸漬ノズルの予熱方法においては、誘導コイルが浸漬ノズルの長さの０．２〜０．９倍の長さとなっているので、装置が小型化できる。
請求項４記載の連続鋳造用浸漬ノズルの予熱方法においては、浸漬ノズルが旋回可能となっているので、浸漬ノズルを移動がスムーズにできる。
【００１９】
請求項５及びこれに従属する請求項７記載の連続鋳造用浸漬ノズルの予熱方法においては、長さが浸漬ノズルの高さ方向の長さに対して０．２〜０．９倍であり、しかも、内径が浸漬ノズルの上端部を除く外径よりも大きい誘導コイルを備えた加熱手段と、浸漬ノズルを把持する把持手段と、把持手段を介して浸漬ノズルを昇降可能なノズル昇降手段とを有するので、装置が小型化できると共に、浸漬ノズルの表面を均一に加熱することができる。
【００２０】
請求項６及びこれに従属する請求項７記載の連続鋳造用浸漬ノズルの予熱方法においては、浸漬ノズルを把持する把持手段と、長さが浸漬ノズルの高さ方向の長さに対して０．２〜０．９倍であり、しかも、内径が浸漬ノズルの上端部を除く外径よりも大きい誘導コイルを備えた加熱手段と、誘導コイルを浸漬ノズルに沿って昇降可能なコイル昇降手段とを有するので、装置が小型化できると共に、浸漬ノズルの表面を均一に加熱することができる。
【発明を実施するための最良の形態】
【００２１】
続いて、添付した図面を参照しつつ、本発明を具体化した実施の形態につき説明し、本発明の理解に供する。
ここで、図１は本発明の一実施の形態に係る連続鋳造用浸漬ノズルの予熱装置の説明図、図２は同連続鋳造用浸漬ノズルの予熱装置の使用時の説明図である。
【００２２】
図１及び図２を参照して、本発明の一実施の形態に係る連続鋳造用浸漬ノズルの予熱装置１０について説明する。
連続鋳造用浸漬ノズルの予熱装置（以下、単に「予熱装置」ともいう）１０は、図示しない連続鋳造機の図示しないタンディッシュから図示しない鋳型に溶鋼を注湯する際にタンディッシュに取り付けられる連続鋳造用の浸漬ノズル１１を、タンディッシュに取り付ける前に予め加熱する装置である。
【００２３】
浸漬ノズル１１は、タンディッシュから鋳型に注湯される溶鋼の酸化防止を目的とし、導電性を有する材料、例えば、炭素を含有したアルミナグラファイトで形成されている。浸漬ノズル１１の形状は、実質的に底部が閉塞された筒状であって、上部に溶鋼が注湯される注湯口１２と、下部側面に２つ穿設された吐出口１３が設けられている。更に、浸漬ノズル１１の上端部外側には、浸漬ノズル１１をタンディッシュに設置するための棒状の水平部材１４が設けられたステンレス製のトラニオン１５が一体的に取り付けられている。なお、トラニオン１５の高さ方向の長さは、浸漬ノズル１１の長さに対して、例えば、０．１となっている。
【００２４】
予熱装置１０は、浸漬ノズル１１に取り付けられたトラニオン１５を介して浸漬ノズル１１を把持する把持手段２０と、把持手段２０を介して浸漬ノズル１１を昇降させるノズル昇降手段２１と、内部に浸漬ノズル１１を挿入して誘導加熱を行う誘導コイル２２を備えた加熱手段２３とを有している。また、ノズル昇降手段２１の下部には、ノズル昇降手段２１を旋回させる旋回手段２４が設けられ、ノズル昇降手段２１及び把持手段２０を介して、浸漬ノズル１１が旋回可能となっている。
【００２５】
更に、予熱装置１０は、ノズル昇降手段２１、誘導コイル２２、及び旋回手段２４を載置する載置台２５と、載置台２５の下部の前側に取り付けられる車輪２６及び後側に取り付けられ、予熱装置１０を任意の位置で固定可能とするストッパー２７が設けられた車輪２８とを備えた台車２９を有し、予熱装置１０が移動可能となっている。以下、それぞれについて詳しく説明する。
【００２６】
旋回手段２４は、例えば、台車２９の載置台２５の後側に載置されている。また、旋回手段２４は、回転テーブルで構成され、その上部に配置されるノズル昇降手段２１を旋回可能としている。
ノズル昇降手段２１は、旋回手段２４に載置される支柱３０と、支柱３０に取り付けられ、１又は複数、例えば２つのギア３１、３２を介してモータ３３によって回転し、側面に雄ねじ３４が形成されたスクリューねじ３５と、モータ３３の回転を調整する制御盤３６を有している。また、支柱３０の上側後部には、台車２９を移動させる把手３７が設けられている。
【００２７】
把持手段２０は、ノズル昇降手段２１のスクリューねじ３５の雄ねじ３４に噛み合わされて、スクリューねじ３５の回転によって昇降可能な１又は複数、例えば、２つの雌ねじ部４０、４１と、雌ねじ部４０、４１が取り付けられて、雌ねじ部４０、４１と共に昇降するフレーム４２と、フレーム４２に取り付けられ、フレーム４２から前方に突出して、浸漬ノズル１１に設けられたトラニオン１５の水平部材１４を把持する凹部４３を備えたアーム４４とを有している。なお、予熱装置１０では、ノズル昇降手段２１のスクリューねじ３５を回転させて把持手段２０を昇降させたが、スクリューねじ３５の代わりに、シリンダ等を用いて把持手段を昇降させてもよい。
【００２８】
加熱手段２３は、長さが浸漬ノズル１１の高さ方向の長さに対して０．２〜０．９倍（本実施の形態では、ほぼ０．５倍）であり、しかも、内径が浸漬ノズル１１の上端部に取り付けられたトラニオン１５を除く外径よりも大きい円筒状の誘導コイル２２と、誘導コイル２２に電気を供給する図示しない電源と、電源から誘導コイル２２に電気を流す通電用電線４５、４６とを備えている。
【００２９】
また、誘導コイル２２は、例えば、銅管で形成され、その内部に冷却溶媒（例えば、水道水）を流して、浸漬ノズル１１の輻射熱によって加熱される誘導コイル２２を冷却可能となっている。更に、誘電コイル２２の外周面には、断熱材である図示しないセラミックファイバーが巻き付けられている。誘導コイル２２の長さを浸漬ノズル１１の高さ方向の長さに対して０．２〜０．９倍としたので、予熱装置１０の小型化が可能となった。
【００３０】
更に、予熱装置１０は、浸漬ノズル１１の上端部に一体的に設けられた金属製のトラニオン１５の設置部分を加熱するために、把持手段２０のアーム４４の上部に設けられた支持部材４７を介して、浸漬ノズル１１の注湯口１２をその上方から加熱するバーナー４８と、バーナー４８にバーナーの燃料、例えば、コークス炉ガス（ＣＯＧ）及び空気を供給するガス供給管４９とが設けられている。また、浸漬ノズル１１の内側上部には、バーナー４８の火炎を所定位置よりも下方へ導入させないための栓５０が配置されている。
【００３１】
次に、連続鋳造用浸漬ノズルの予熱装置１０を使用した浸漬ノズル１１の予熱方法について説明する。
把手３７を押して予熱装置１０を浸漬ノズル１１の保管場所に移動し、旋回手段２４でノズル昇降手段２１の支柱３０を旋回させると共に、ノズル昇降手段２１によって把持部材２０のアーム４４を昇降させて、アーム４４の凹部４３に浸漬ノズル１１に取り付けられたトラニオン１５の水平部材１４をセットして加熱場所まで移動する。
【００３２】
図２に示すように、ノズル昇降手段２１のモータ３３を駆動させ、ギア３１、３２を介して、スクリューねじ３５を回転し、スクリューねじ３５の雄ねじ３４に螺合する把持手段２０の雌ねじ部４０、４１を降下させて、浸漬ノズル１１を加熱手段２３の誘導コイル２２内に挿入する。誘導コイル２２に電源から通電用電線４５、４６を介して電気を流して浸漬ノズル１１の誘導加熱を行って、浸漬ノズル１１を１２００〜１５３０℃、例えば、１４００℃まで加熱する。加熱の際には、誘導コイル２２内に水道水を流し、誘導コイル２２の温度上昇を防いでいる。
【００３３】
ここで、誘導コイル２２の長さは、浸漬ノズル１１の高さ方向の長さに対して０．５倍であるので、ノズル昇降手段２１によって、加熱時に浸漬ノズル１１を昇降させて、浸漬ノズル１１の表面を均一に加熱する。更に、加熱手段２１によって加熱されない浸漬ノズル１１の上端部は、浸漬ノズル１１の上方に配置されたバーナー４８にガス供給管４９からＣＯＧを供給して火炎によって、浸漬ノズル１１をより均一に加熱することができる。また、浸漬ノズル１１の内側上部には、バーナー４８の火炎を所定位置よりも下方へ導入させないための栓５０が配置されているので、浸漬ノズル１１の内側の酸化防止剤の酸化を防ぐことができる。
【実施例】
【００３４】
次に、本発明の作用効果を確認するために行った実施例について説明する。ここで、図３は予熱した浸漬ノズルの破損発生指数を示すグラフ、図４は予熱した浸漬ノズルのコスト低減指数を示すグラフである。
【００３５】
（実施例１）
予熱を行う浸漬ノズルは、トラニオンが取り付けられた上端部を除く最大径が１５５ｍｍであり、長さが７７５ｍｍである。また、内径８ｍｍの銅管を使用するこの加熱装置の誘導コイルは、コイルの内径を浸漬ノズルの上端部を除く最大径よりも大きい１７５ｍｍとし、高さ方向の長さを浸漬ノズルの長さの０．２〜０．９倍、例えば、ほぼ０．５倍の４０６ｍｍとした。
【００３６】
予熱装置の加熱手段の電源は、ＡＣ２００／２２０Ｖ、６０Ｈｚ、及び２６ＫｖＡとし、誘導コイル２２の出力を最大２０ｋＷで、周波数５〜４０ｋＨｚ、例えば、２０ｋＨｚとして、浸漬ノズルを１２００〜１５３０℃、例えば、１４００℃に加熱した。なお、誘導コイルによる最大加熱温度は、溶鋼の温度よりも高い１６００℃程度であり、浸漬ノズルの加熱終了後からタンディッシュ取り付けまでに、浸漬ノズルの温度が低下するので、浸漬ノズルの加熱温度を溶鋼の温度よりも高くしている。また、加熱時には、誘導コイルの内部に水道水を４リットル／分で供給し、浸漬ノズルの輻射熱による誘導コイルの加熱を防止している。
この予熱装置で加熱した浸漬ノズルを用いて連続鋳造を行って、加熱された浸漬ノズルの亀裂及び折損の発生状況を確認した。
【００３７】
（実施例２）
実施例１の予熱装置に更に浸漬ノズルの上部を火炎により加熱するバーナーが設けられた装置を使用して浸漬ノズルの加熱を行った後、連続鋳造を行い、加熱された浸漬ノズルの亀裂及び折損の発生状況を確認した。
（比較例）
従来のガス式の予熱装置を使用して、浸漬ノズルの加熱を行った後、連続鋳造を行い、加熱された浸漬ノズルの亀裂及び折損の発生状況を確認した。
【００３８】
図３に示すように、比較例での浸漬ノズルの亀裂及び折損の発生率を１とした場合、実施例１では０．４、実施例２では０．２とかなり低くなった。これは、誘導加熱により浸漬ノズルをより高温に加熱したので、熱応力が小さくなったためと解される。また、浸漬ノズルの上部をバーナーで加熱すると浸漬ノズルの表面がより均一に加熱されるため、より亀裂及び折損が発生しなかったと解される。
【００３９】
図４に示すように、実施例１及び２、比較例の予熱装置の小型化及び寿命安定化による浸漬ノズルのコストの低減指数は、比較例を１として、実施例１では０．６、実施例２では０．３とかなり低くなった。実施例１及び実施例２の予熱装置は、浸漬ノズルを加熱する誘電コイルが小さく、それに伴って電源等も小さくできるため、作業性及び操作性が高まると共に、コストが低くなると解される。また、実施例１及び実施例２の予熱装置で予熱した浸漬ノズルは、亀裂及び折損の発生率が低いためコストも下がると解される。
【００４０】
本発明は、前記した実施の形態に限定されるものではなく、本発明の要旨を変更しない範囲での変更は可能であり、例えば、前記した実施の形態や変形例の一部又は全部を組み合わせて本発明の連続鋳造用浸漬ノズルの予熱装置及び連続鋳造用浸漬ノズルの予熱方法を構成する場合も本発明の権利範囲に含まれる。
例えば、前記実施の形態の連続鋳造用浸漬ノズルの予熱方法及び予熱装置において、浸漬ノズルを昇降させたが、ノズル昇降手段の代わりに、誘導コイルを浸漬ノズルに沿って昇降可能なコイル昇降手段を設けて、これにより誘導コイルを昇降させてもよい。
【図面の簡単な説明】
【００４１】
【図１】本発明の一実施の形態に係る連続鋳造用浸漬ノズルの予熱装置の説明図である。
【図２】同連続鋳造用浸漬ノズルの予熱装置の使用時の説明図である。
【図３】予熱した浸漬ノズルの破損発生指数を示すグラフである。
【図４】予熱した浸漬ノズルのコスト低減指数を示すグラフである。
【符号の説明】
【００４２】
１０：連続鋳造用浸漬ノズルの予熱装置、１１：浸漬ノズル、１２：注湯口、１３：吐出口、１４：水平部材、１５：トラニオン、２０：把持手段、２１：ノズル昇降手段、２２：誘導コイル、２３：加熱手段、２４：旋回手段、２５：載置台、２６：車輪、２７：ストッパー、２８：車輪、２９：台車、３０：支柱、３１、３２：ギア、３３：モータ、３４：雄ねじ、３５：スクリューねじ、３６：制御盤、３７：把手、４０、４１：雌ねじ部、４２：フレーム、４３：凹部、４４：アーム、４５、４６：通電用電線、４７：支持部材、４８：バーナー、４９：ガス供給管、５０：栓
【図１】
2006205191.tif 000003
【図２】
2006205191.tif 000004
【図３】
2006205191.tif 000005
【図４】
2006205191.tif 000006